【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】  次の式(Ｉ)：
2002520288.tif 000001
[上式中：
Ｌは、
2002520288.tif 000002
又は
2002520288.tif 000003
であり；
ＢはＨ、ＯＨ、ＯＳｉＲ１３、アミン含有標的部分の残基又はヒドロキシル含有標的部分の残基であり；
Ｇは、
2002520288.tif 000004
又はＣＨ２であり；
Ｙ１−２は独立してＯ又はＳであり；
ＭはＸ又はＱであり；ここで、
Ｘは電子求引基であり；
ＱはＣ(＝Ｙ２)から３ないし６の原子に位置する遊離電子対を含む部分であり；
Ｒ７、Ｒ８、Ｒ９、Ｒ１０及びＲ１３は独立して、水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル、置換Ｃ１−６ヘテロアルキル、Ｃ１−６アルコキシ、フェノキシ、Ｃ１−６ヘテロアルコキシから選択され、
Ｒ１及びＲ４は独立して、水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル、置換Ｃ１−６ヘテロアルキル、Ｃ１−６アルコキシ、フェノキシ、Ｃ１−６ヘテロアルコキシ、シアノ、ニトロ、カルボキシル、アシル、置換アシル、カルボキシアルキルからなる群から選択され；
Ａｒは式(Ｉ)に含まれる場合に、多置換芳香族炭化水素又は多置換複素環基を形成する部分であり；
(ｍ)は０又は１であり；
(ｎ)は０又は正の整数であり；
(ｐ)は０又は１であり；
(ｑ)は３又は４であり；
Ｒ１１はポリマー残基である]
からなる化合物。
【請求項２】  Ａｒにより形成される芳香族部分が、
2002520288.tif 000005
[ここでＪはＯ、Ｓ、又はＮＲ１であり、Ｅ及びＺは独立してＣＨ、Ｏ、Ｓ又はＮＲ１であり；Ｒ２、Ｒ３、Ｒ５及びＲ６は独立して、水素、Ｃ１−６アルキル、Ｃ１−６アルコキシ、フェノキシ、Ｃ１−８ヘテロアルキル、Ｃ１−８ヘテロアルコキシ、置換Ｃ１−６アルキル、Ｃ３−８シクロアルキル、Ｃ３−８置換シクロアルキル、アラルキル、アリール、及びハロ-、ニトロ-及びシアノ-からなる群から選択される部分で置換されたアリール；カルボキシ-、カルボキシアルキル、アルキルカルボニルからなる群から選択される]
からなる群から選択される請求項１の化合物。
【請求項３】  Ａｒにより形成される芳香族部分が、
2002520288.tif 000006
である請求項２の化合物。
【請求項４】  Ｒ２及びＲ５がＣ１−６アルキルである請求項３の化合物。
【請求項５】  Ｒ２及びＲ５がメチルである請求項３の化合物。
【請求項６】  Ｒ３及びＲ６が水素である請求項３の化合物。
【請求項７】  Ｒ１１がキャッピング基Ａをさらに含有する請求項１の化合物。
【請求項８】  Ａが、水素、ＣＯ２Ｈ、Ｃ１−６アルキル部分、ジアルキル-アシル-ウレア-アルキル、及び次の式：
2002520288.tif 000007
[上式中、Ｂ'はＢと同一か、又はＢとして定義された群の他のメンバーである]からなる群から選択される請求項７の化合物。
【請求項９】  Ｒ１及びＲ４が独立して、水素、ＣＨ３及びＣＨ２ＣＨ３からなる群から選択される請求項１の化合物。
【請求項１０】  前記置換Ｃ１−６アルキルがカルボキシアルキル、アミノアルキル、ジアルキルアミノアルキル、ヒドロキシアルキル及びメルカプトアルキルからなる群から選択される請求項１の化合物。
【請求項１１】  Ｘが、Ｏ、ＮＲ１２、
2002520288.tif 000008
、Ｓ、ＳＯ及びＳＯ２(ここで、Ｙ３はＯ又はＳであり、Ｒ１２は水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル及び置換Ｃ１−６ヘテロアルキルからなる群から選択される）からなる群から選択される請求項１の化合物。
【請求項１２】  ＸがＯ、ＮＲ１２、及び
2002520288.tif 000009
からなる群から選択される請求項１１の化合物。
【請求項１３】  Ｑが、オルト置換フェニル、及びＮＨ、Ｏ、Ｓ、-ＣＨ２-Ｃ(Ｏ)-ＮＨ-からなる群のメンバーで置換されたアラルキル基、Ｃ２−４アルキル、シクロアルキル、アリールからなる群から選択される請求項１の化合物。
【請求項１４】  (ｎ)が約１〜約１２の整数である請求項１の化合物。
【請求項１５】  (ｎ)が１又は２である請求項１４の化合物。
【請求項１６】  (ｍ)が０である請求項１の化合物。
【請求項１７】  (ｐ)が１である請求項１の化合物。
【請求項１８】  (ｑ)が３である請求項１の化合物。
【請求項１９】  Ｙ１−２がＯである請求項１の化合物。
【請求項２０】  Ｒ１１がポリアルキレンオキシドを含んでなる請求項１の化合物。
【請求項２１】  前記ポリアルキレンオキシドがポリエチレングリコールを含んでなる請求項２０の化合物。
【請求項２２】  前記ポリマーが約２０００〜約１０００００の分子量を有する請求項１の化合物。
【請求項２３】  前記ポリマーが約５０００〜約４００００の分子量を有する請求項２２の化合物。
【請求項２４】  Ｒ１１が-Ｃ(=Ｙ)-(ＣＨ２)ｎ-Ｏ-(ＣＨ２ＣＨ２Ｏ)ｘ-Ａ、-Ｃ(=Ｙ)-Ｙ-(ＣＨ２)ｎ-Ｏ-(ＣＨ２ＣＨ２Ｏ)ｘ-Ａ及び-Ｃ(=Ｙ)-ＮＲ１２-(ＣＨ２)ｎ-Ｏ-(ＣＨ２ＣＨ２Ｏ)ｘ-Ａからなる群から選択され、ここで、
Ｒ１及びＲ４は独立して、水素、Ｃ１−６アルキル、Ｃ１−６ヘテロアルキル、置換Ｃ１−６ヘテロアルキル及び置換Ｃ１−６アルキルからなる群から選択され；
(ｎ)は０又は正の整数であり；
ＹはＯ又はＳであり；
Ａはキャッピング基であり；
(ｘ)は重合度を表す；
請求項１の化合物。
【請求項２５】  ＢがＮ-ヒドロキシベンゾトリアゾリル、ハロゲン、Ｎ-ヒドロキシフタルイミジル、ｐ-ニトロフェノキシ、イミダゾリル、Ｎ-ヒドロキシスクシンイミジル、チアゾリジニルチオンからなる群から選択される脱離基、又は酸活性化基である請求項１の化合物。
【請求項２６】  Ｂがアントラサイクリン、ダウノルビシン、ドキソルビシン、ｐ-ヒドロキシアニリンマスタード、Ａｒａ-Ｃ及びゲンシタビンからなる群のメンバーの残基である請求項１の化合物。
【請求項２７】  Ｂが酵素、タンパク質、ペプチド又はアミン含有化合物の残基である請求項１の化合物。
【請求項２８】  Ｂが第２のポリマー輸送系を含む請求項１の化合物。
【請求項２９】  次の式：
2002520288.tif 000010
からなる群から選択される請求項１の化合物。
【請求項３０】  ａ.次の中間化合物(ＩＩＩ)
2002520288.tif 000011
[ここで、Ｍ２は開裂可能な又は可逆的な保護基であり；
Ｌは、
2002520288.tif 000012
又は
2002520288.tif 000013
であり；
Ｂ２は脱離基であり；
Ｇは、
2002520288.tif 000014
又はＣＨ２であり；
Ｙ１−２は独立してＯ又はＳであり；
ＭはＸ又はＱであり；ここで、
Ｘは電子求引基であり；また
ＱはＣ(＝Ｙ２)から３ないし６の原子に位置する遊離電子対を含む部分であり；
Ｒ１及びＲ４は独立して、水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル、置換Ｃ１−６ヘテロアルキル、Ｃ１−６アルコキシ、フェノキシ、Ｃ１−６ヘテロアルコキシ、シアノ、ニトロ、カルボキシル、アシル、置換アシル、カルボキシアルキルからなる群から選択され；
Ｒ７、Ｒ８及びＲ１３は独立して、水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル及び置換Ｃ１−６ヘテロアルキルからなる群から選択され；
Ａｒは式(Ｉ)に含まれる場合に、多置換芳香族炭化水素又は多置換複素環基を形成する部分であり；
(ｎ)は０又は正の整数であり；
(ｐ)は０、１又は２であり；
(ｑ)は３又は４である]
の化合物を酸と接触させて、中間化合物(ＩＩＩ)を脱保護し；
ｂ.脱保護された中間化合物を活性化ポリマーと反応させる；
ことを含んでなるプロドラッグ輸送形態の調製方法。
【請求項３１】  ｃ.工程ｂで得られた化合物をアミン含有又はヒドロキシル含有化合物と反応させて、共役体を形成する工程をさらに含んでなる請求項３０の方法。
【請求項３２】  前記共役体を活性化ポリマーと反応させて、ポリマーハイブリッド輸送系を形成することをさらに含んでなる請求項３１の方法。
【請求項３３】  ａ.次の中間化合物(ＩＩＩ)
2002520288.tif 000015
[ここで、Ｍ２は開裂可能な又は可逆的な保護基であり；
Ｌは、
2002520288.tif 000016
又は
2002520288.tif 000017
であり；
Ｂは脱離基であり；
Ｇは、
2002520288.tif 000018
又はＣＨ２であり；
Ｙ１−２は独立してＯ又はＳであり；
ＭはＸ又はＱであり；ここで、
Ｘは電子求引基であり；
ＱはＣ(＝Ｙ２)から３ないし６の原子に位置する遊離電子対を含む部分であり；
Ｒ１及びＲ４は独立して、水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル、置換Ｃ１−６ヘテロアルキル、Ｃ１−６アルコキシ、フェノキシ、Ｃ１−６ヘテロアルコキシ、シアノ、ニトロ、カルボキシル、アシル、置換アシル、カルボキシアルキルからなる群から選択され；
Ｒ７、Ｒ８及びＲ１３は独立して、水素、Ｃ１−６アルキル、Ｃ３−１２分枝アルキル、Ｃ３−８シクロアルキル、Ｃ１−６置換アルキル、Ｃ３−８置換シクロアルキル、アリール、置換アリール、アラルキル、Ｃ１−６ヘテロアルキル及び置換Ｃ１−６ヘテロアルキルからなる群から選択され；
Ａｒは式(Ｉ)に含まれる場合に、多置換芳香族炭化水素又は多置換複素環基を形成する部分であり；
(ｎ)は０又は正の整数であり；
(ｐ)は０、１又は２であり；
(ｑ)は３又は４である]
を提供し；
ｂ.アミン含有化合物又はヒドロキシル含有化合物に中間化合物(ＩＩＩ)をカップリングさせて、第２の中間化合物を形成し；
ｃ.酸で第２の中間化合物を脱保護し；
ｄ.脱保護された第２の中間化合物を活性化ポリマーと反応させる；
ことを含んでなるプロドラッグ輸送形態の調製方法。
【請求項３４】  Ｂがアミン含有又はヒドロキシル含有標的部分の残基である、請求項１の化合物を、活性成分として、含有する製薬組成物。